(57)【要約】【課題】  携帯無線機の大型化を回避することの可能な、携帯無線機用のアンテナを提供する。【解決手段】  外部フリップアンテナ１は、携帯電話機１５に対してアンテナ本体１４を着脱可能なコネクタ部１０を有している。これにより、外部フリップアンテナ１を用いれば、外部フリップアンテナ１を用いないとき（例えば、携帯電話機１５による通信を行わないとき、あるいは内蔵アンテナによって通信を行うとき）に、携帯電話機１５から外部フリップアンテナ１をはずしておける。従って、携帯電話機１５を使用していないとき（携帯電話機１５を鞄に収納するときなど）に、外部フリップアンテナ１によって携帯電話機１５が無意味に大型化し、嵩張ってしまうことを回避できる。【選択図】  図１
2005303685.tif 000002
【特許請求の範囲】
【請求項１】
携帯無線機に備えられるアンテナ装置において、
アンテナ本体と、
携帯無線機に対してアンテナ本体を着脱可能とするためのコネクタ部とを有していることを特徴とするアンテナ装置。
【請求項２】
上記のアンテナ本体が板形状を有しており、
アンテナ本体をコネクタ部に対して回動可能に取り付けるためのヒンジ部を備えており、
このヒンジ部が、携帯無線機に装着された状態で、アンテナ本体の向きを、携帯無線機の本体に密着した閉状態から所定の最大角度まで開いた開状態までの間で変位させるように設計されていることを特徴とする請求項１に記載のアンテナ装置。
【請求項３】
上記コネクタ部が、閉状態のアンテナ本体を携帯無線機から電気的に切り離す一方、開状態となったアンテナ本体を携帯無線機に電気的に接続させるように設計されていることを特徴とする請求項２に記載のアンテナ装置。
【請求項４】
請求項１〜３のいずれかに記載のアンテナ装置を備えることを特徴とする携帯無無線機。
【請求項５】
上記のアンテナ装置とは別の、第２のアンテナを備えており、
上記のアンテナ装置のアンテナ本体を電気的に接続していない場合に、第２のアンテナを用いて通信を実行するように設計されていることを特徴とする請求項４に記載の携帯無線機。
【請求項６】
携帯電話である請求項５に記載の携帯無線機。
【発明の詳細な説明】
【技術分野】
【０００１】
本発明は、携帯無線機に備えられるアンテナ装置に関するものである。
【背景技術】
【０００２】
近年、携帯電話機などの、無線型の携帯通信端末（携帯無線機）が急速に普及している。また、このような携帯無線機は小型化・薄型化されてきており、これに伴って、情報源である電波を送受信するアンテナの小型化や、アンテナを端末の内部に設けることが求められている。
【０００３】
ところで、携帯無線機のアンテナには、固定式の通信端末のアンテナとは異なる課題がある。例えば、携帯無線機において送受信される電波は、ユーザーの体等の、外部環境の影響を強く受ける。従って、このような影響をできるだけ抑制可能な、より高性能のアンテナが求められている。
【０００４】
このような課題に関し、特許文献１〜３には、蓋の開閉状態または通信の種類（データ通信あるいは通話）に応じて二つのアンテナを使い分け、これによって通信効率を向上できる折り畳み式の携帯無線機が開示されている。
【０００５】
これらの携帯無線機では、通話時にはユーザーの頭部の影響を回避可能なアンテナを使用する一方、データ通信時あるいは蓋の閉まっているときには、通信効率（電波の送受信に関する効率）のよい、別のアンテナを使用するようになっている。
【特許文献１】特開平５−７５３２０号公報（平成５年３月２６日公開）
【特許文献２】特開２００３−１０１１７３号公報（平成１５年４月４日公開）
【特許文献３】特開２００３−１３３９９１号公報（平成１５年５月９日公開）
【発明の開示】
【発明が解決しようとする課題】
【０００６】
しかしながら、上記した特許文献１〜３の技術では、携帯無線機の本体に二つのアンテナを設けるため、携帯無線機の大型化を招くという問題がある。
【０００７】
本発明は、上記のような従来の問題点に鑑みてなされたものである。そして、その目的は、携帯無線機の大型化を回避することの可能な、携帯無線機用のアンテナを提供することにある。
【課題を解決するための手段】
【０００８】
上記の目的を達成するために、本発明のアンテナ装置（本アンテナ装置）は、携帯無線機に備えられるアンテナ装置において、アンテナ本体と、携帯無線機に対してアンテナ本体を着脱可能とするためのコネクタ部とを有していることを特徴としている。
【０００９】
本アンテナ装置は、携帯電話などの携帯無線機のアンテナとして機能するものである。すなわち、本アンテナ装置は、携帯無線機に電気的に接続された場合、アンテナ本体によって、携帯無線機に対して外部から送信される電波を受信する一方、携帯無線機から外部に対して電波を送信する機能を有するものである。
【００１０】
そして、特に、本アンテナ装置は、携帯無線機に対してアンテナ本体を着脱可能なコネクタ部を有している。
【００１１】
すなわち、このコネクタ部は、携帯無線機に対してアンテナ本体を電気的・構造的（機械的）に接続することが可能であるとともに、携帯無線機から完全に取り外す（電気的にも構造的にも携帯無線機から離れた状態とする）ことも可能なものである。
【００１２】
これにより、本アンテナ装置を用いれば、携帯無線機による通信を行わないときに、携帯無線機から本アンテナ装置をはずしておける。従って、通信に使用していないとき（携帯無線機を鞄に収納するときなど）に、本アンテナ装置によって携帯無線機が大型化し、嵩張ってしまうことを回避できる。
【００１３】
なお、携帯無線機に別のアンテナ（第２アンテナ）のある場合、本アンテナ装置の通信能力を、第２アンテナよりも高くしておくことが好ましい。
【００１４】
この場合、ユーザーは、通信状況のよい場合に、本アンテナ装置を携帯無線機から取り外して、第２アンテナを用いて通信を行う。そして、通信状況の悪い場合には、携帯無線機に本アンテナ装置を取り付けて、本アンテナ装置を用いて通信を行える。これにより、通信状況に応じて２つのアンテナを使い分けられるので、通信効率を向上させられる。
【００１５】
また、本アンテナ装置では、アンテナ本体を板形状とし、アンテナの電気長を最適化することも可能である。このような形状とすることで、アンテナの通信効率を向上させられる。
【００１６】
また、この場合、アンテナ本体をコネクタ部に対して回動可能に取り付けるためのヒンジ部を備えていることが好ましい。
【００１７】
そして、このヒンジ部が、携帯無線機に装着された状態で、上記のアンテナ本体の向きを、携帯無線機の本体に密着した閉状態から所定の最大角度まで開いた開状態までの間で変位させるように設計されていることが好ましい。
【００１８】
このヒンジ部により、携帯無線機に対するアンテナ本体の向き（位置）を変えられるので、利便性を向上させられる。例えば、アンテナ本体を閉状態とすることで、本アンテナ装置のコンパクト化を図れる。
【００１９】
特に、通話時にアンテナ本体を携帯無線機のユーザーの頭部から離すような位置に設定することで、ユーザーに対する通信電波の影響（被爆量）を抑制できる。また、ユーザーの頭部による通信状況の悪化も防止できる。
【００２０】
また、この場合、上記のコネクタ部は、開状態となったときにアンテナ本体を携帯無線機から電気的に切り離す一方、開状態となったときにアンテナ本体を携帯無線機に電気的に接続させるように設計されていることが好ましい。
【００２１】
この構成では、本アンテナ装置を携帯無線機に取り付けた状態でも、本アンテナ装置を切断状態にできる。これにより、本アンテナ装置のＯＮ／ＯＦＦを容易に切り替えられる。
【００２２】
また、本アンテナ装置を用いる携帯無線機には、本アンテナ装置とは別の、上記した第２アンテナを備えることが好ましい。また、この場合には、携帯無線機は、本アンテナ装置を備えない状態、あるいは、本アンテナ装置が電気的に切断されている状態では、第２アンテナを用いた通信を行うように設定されていることが好ましい。これにより、本アンテナ装置がどのような状態にあっても、いずれかのアンテナを用いて通信を行える。
【００２３】
また、この構成では、本アンテナ装置のコネクタ部を、開状態となったときにアンテナ本体を携帯無線機から電気的に切り離す一方、開状態となったときにアンテナ本体を携帯無線機に電気的に接続させるように設計することが好ましい。
【００２４】
この場合には、本アンテナ装置のアンテナ本体を開状態・閉状態のいずれかに切り替えることで、携帯無線機において使用するアンテナを容易に切り替えられる。
【発明の効果】
【００２５】
以上のように、本発明のアンテナ装置（本アンテナ装置）は、携帯無線機に備えられるアンテナ装置において、アンテナ本体と、携帯無線機に対してアンテナ本体を着脱可能とするためのコネクタ部とを有している構成である。
【００２６】
本アンテナ装置は、携帯無線機に対してアンテナ本体を着脱可能なコネクタ部を有している。
【００２７】
すなわち、このコネクタ部は、携帯無線機に対してアンテナ本体を電気的・構造的（機械的）に接続することが可能であるとともに、携帯無線機から完全に取り外す（電気的にも構造的にも携帯無線機から離れた状態とする）ことも可能なものである。
【００２８】
これにより、本アンテナ装置を用いれば、携帯無線機による通信を行わないときに、携帯無線機から本アンテナ装置をはずしておける。従って、通信に使用していないとき（携帯無線機を鞄に収納するときなど）に、本アンテナ装置によって携帯無線機が大型化し、嵩張ってしまうことを回避できる。
【発明を実施するための最良の形態】
【００２９】
本発明の実施の形態について説明する。図２は、本実施の形態にかかる携帯電話システム（本システム）の構成を示す斜視図である。この図に示すように、本システムは、外部フリップアンテナ１および携帯電話機１５を組み合わせたものである。
【００３０】
携帯電話機（携帯無線機）１５は、他の電話機との通話通信、および、接続可能なコンピューターネットワーク（インターネットあるいはイントラネット）を利用したデータ通信（電子メールの授受など）を実行する機能を有するものである。
【００３１】
また、携帯電話機１５は、図示しない内蔵アンテナを備えており、これによって通信（電波の送信（輻射）および受信）を行えるように設計されている。
さらに、携帯電話機１５は、内蔵アンテナよりも通信能力の高い外部フリップアンテナ１を接続することにより、このアンテナを用いた通信も行えるようになっている。
また、携帯電話機１５は、図示しない制御部を備えている。この制御部は、携帯電話機１５の全動作を制御する中枢部である。
【００３２】
外部フリップアンテナ（アンテナ装置）１は、携帯電話機１５に接続され、携帯電話機１５に対して外部から送信される電波を受信する一方、携帯電話機１５から外部に対して電波を送信する機能を有するものである。そして、図２に示すように、外部フリップアンテナ１は、コネクタ部１０，ヒンジ部１３およびアンテナ本体１４を備えている。
【００３３】
コネクタ部１０は、外部フリップアンテナ１（アンテナ本体１４）を、携帯電話機１５に対して電気的および構造的（機械的）に接続する機能を有するものである。すなわち、外部フリップアンテナ１は、このコネクタ部１０によって、携帯電話機１５と一体形状となるように設計されている。なお、このコネクタ部１０の詳細な構成については後述する。
【００３４】
ヒンジ部１３は、コネクタ部１０とアンテナ本体１４とを接続する蝶番（ちょうつがい）であり、アンテナ本体１４とともにコネクタ部１０に対して回動（フリップ）するように設計されている。そして、ヒンジ部１３は、携帯電話機１５の筐体面に対するアンテナ本体１４の向き（角度）を、携帯電話機１５の筐体面に対して重なった（密着した）状態（閉状態；折り畳んだ状態；０度）から１２０度ほど開いた状態（開状態）までの間で、変化させるものである。
【００３５】
アンテナ本体１４は、実際に電波の送受信を行う部材であり、図２に示すように、ヒンジ部１３から離れるにつれて薄くなる板形状（楔形状）を有している。
【００３６】
次に、外部フリップアンテナ１と携帯電話機１５との接続状態について詳細に説明する。図１（ａ）〜（ｃ）は、外部フリップアンテナ１と携帯電話機１５との接続構造を示す断面図である。これらの図に示すように、コネクタ部１０は、接続プラグ（Ｉ／Ｆコネクタ）１２，同軸コンタクト１７およびヒンジリンク１８を備えている。
【００３７】
接続プラグ１２は、携帯電話機１５の接続ソケット（Ｉ／Ｆコネクタ）１６に挿入され、このソケット１６と電気的・構造的に接続されるＩ／Ｆコネクタである。同軸コンタクト１７およびヒンジリンク１８は、アンテナ本体１４と接続プラグ１２との接続を制御するものである。
【００３８】
すなわち、同軸コンタクト１７は、接続プラグ１２に設けられた挿入穴（図示せず）に挿入可能な円柱形の伝導部材である。そして、同軸コンタクト１７は、接続プラグ１２の挿入穴に深く差し込まれた状態（Ａ方向に深く入り込んだ状態）で、接続プラグ１２と電気的に接続するように設計されている。
【００３９】
また、ヒンジリンク１８は、同軸コンタクト１７に対して電気的に接続されている。また、ヒンジリンク１８は、アンテナ本体１４に対しても、ヒンジ部１３および図示しない同軸線を介して電気的に接続されている。
【００４０】
さらに、ヒンジリンク１８は、ヒンジ部１３および同軸コンタクト１７に対し、回動軸（連結軸）１８ａ・１７ａを介して回動可能な状態で連結されており、これらと連動して変位する（移動する）ように設計されている。すなわち、ヒンジ部１３は、アンテナ本体１４の回動に応じて、ヒンジリンク１８との回動軸１８ａを、Ａ−Ｂ方向にほぼ沿った状態で変位させる。これに応じて、ヒンジリンク１８の全体が、Ａ−Ｂ方向にほぼ沿った状態で変位する。
【００４１】
そして、図１（ｂ）（ｃ）に示すように、このようなヒンジリンク１８の変位（位置変動）が、回動軸１７ａを介して同軸コンタクト１７に伝達される。そして、同軸コンタクト１７が、接続プラグ１２に設けられた挿入穴内をＡ−Ｂ方向に沿って移動するようになっている。このように、コネクタ部１０では、ヒンジリンク１８がカムとして機能し、ヒンジ部１３の回動に応じて、同軸コンタクト１７をＡ−Ｂ方向に直線的に変位させるように設計されている。
【００４２】
また、アンテナ本体１４は、図示しないマッチング回路を備えている。
このマッチング回路は、アンテナ本体１４によって受信した電波を、携帯電話機１５によって処理可能な電気信号に変換して出力するものである。さらに、このマッチング回路は、携帯電話機１５から伝達された電気信号に基づいて、アンテナ本体１４から送信される電波を制御する機能も有している。
【００４３】
次に、本システムの操作について説明する。図１（ａ）（ｂ）に示すように、携帯電話機１５に外部フリップアンテナ１を接続するときには、携帯電話機１５の接続ソケット１６に、外部フリップアンテナ１の接続プラグ１２を挿入する。これにより、接続プラグ１２と接続ソケット１６とが電気的・構造的に接続される。
【００４４】
また、図１（ｂ）に示す状態では、アンテナ本体１４が閉状態となっている。
この場合には、同軸コンタクト１７がＢ方向によっており、接続プラグ１２の挿入穴に深く入り込んでいない。このため、同軸コンタクト１７は、接続プラグ１２と電気的に接続されていない。すなわち、この状態では、外部フリップアンテナ１（アンテナ本体１４）は、携帯電話機１５に対して構造的（機械的）には接続されているものの、電気的には接続されていないこととなる。
【００４５】
一方、図１（ｃ）に示すように、アンテナ本体１４を開状態とすると、ヒンジ部１３の回動に伴って、ヒンジリンク１８および同軸コンタクト１７がＡ方向に移動する。これにより、同軸コンタクト１７は、接続プラグ１２の挿入穴に深く差し込まれた状態（Ａ方向に深く入り込んだ状態）となり、接続プラグ１２と電気的に接続する。従って、本システムでは、アンテナ本体１４が図１（ｃ）に示したような開状態となったとき、外部フリップアンテナ１（アンテナ本体１４）が、携帯電話機１５と電気的に接続され、携帯電話機１５のアンテナとして機能することとなる。
【００４６】
次に、本システムの動作について簡単に説明する。携帯電話機１５の制御部は、携帯電話機１５に外部フリップアンテナ１が取り付けられていない場合（図１（ａ））には、内蔵アンテナを用いて通信を行うように、携帯電話機１５を制御する。また、携帯電話機１５に外部フリップアンテナ１が取り付けられている場合でも、アンテナ本体１４が図１（ｂ）に示すような閉状態にある場合には、制御部は、同様に、内蔵アンテナを用いて通信を実行する。
【００４７】
一方、図１（ｃ）に示すように、アンテナ本体１４が開状態となり、外部フリップアンテナ１と接続ソケット１６とが電気的に接続されたことを検知すると、制御部は、通信に使用するアンテナを内蔵アンテナから外部フリップアンテナ１に切り替える。そして、この外部フリップアンテナ１を用いた通信を行うように、携帯電話機１５を設定する。
【００４８】
以上のように、本システムにおける外部フリップアンテナ１は、携帯電話機１５に対してアンテナ本体１４を着脱可能なコネクタ部１０を有している。すなわち、このコネクタ部１０は、携帯電話機１５に対してアンテナ本体１４を電気的・構造的（機械的）に接続することが可能である。さらに、コネクタ部１０は、アンテナ本体１４を携帯電話機１５から完全に取り外す（電気的にも構造的にも携帯電話機１５から離れた状態とする）ことも可能なものである。
【００４９】
これにより、外部フリップアンテナ１を用いれば、外部フリップアンテナ１を用いないとき（例えば、携帯電話機１５による通信を行わないとき、あるいは内蔵アンテナによって通信を行うとき）に、携帯電話機１５から外部フリップアンテナ１をはずしておける。
従って、携帯電話機１５を使用していないとき（携帯電話機１５を鞄に収納するときなど）に、外部フリップアンテナ１によって携帯電話機１５が無意味に大型化し、嵩張ってしまうことを回避できる。
【００５０】
また、外部フリップアンテナ１では、アンテナ本体１４が板形状（楔形状）となっている。このような板形状とすることで、通信効率を向上させられる。
また、外部フリップアンテナ１は、アンテナ本体１４をコネクタ部１０に対して回動可能に取り付けるための、ヒンジ部１３を備えている。そして、このヒンジ部１３が、携帯電話機１５に装着された状態で、アンテナ本体１４の向きを、携帯電話機１５の本体に密着した閉状態から所定の最大角度（１２０度）まで開いた開状態までの間で変位させるように設計されている。
【００５１】
これにより、外部フリップアンテナ１では、携帯電話機１５に対するアンテナ本体１４の向き（位置）を変えられるので、利便性を向上させられる。例えば、アンテナ本体１４を閉状態とすることで、外部フリップアンテナ１のコンパクト化を図れる。
【００５２】
特に、通話時にアンテナ本体１４を携帯電話機１５のユーザーの頭部から離すような位置に設定することで、ユーザーに対する通信電波の影響（被爆量）を抑制できる。また、ユーザーの頭部による通信状況の悪化も防止できる。
【００５３】
また、この場合、上記のコネクタ部１０は、開状態となったときにアンテナ本体１４を携帯電話機１５から電気的に切り離す一方、開状態となったときにアンテナ本体１４を携帯電話機１５に電気的に接続させるように設計されている。
【００５４】
これにより、外部フリップアンテナ１では、携帯電話機１５に取り付けられた状態でも、アンテナ本体１４を切断状態にできる。これにより、外部フリップアンテナ１のＯＮ／ＯＦＦを容易に切り替えられる。
【００５５】
また、外部フリップアンテナ１は、携帯電話機１５の内蔵アンテナよりも通信能力が高くなっている。そして、携帯電話機１５の制御部が、外部フリップアンテナ１を備えていない状態、あるいは、外部フリップアンテナ１が電気的に切断されている状態（閉状態）では、内蔵アンテナを用いた通信を行うように設定されている。
また、本システムでは、外部フリップアンテナ１のアンテナ本体１４を開状態・閉状態のいずれかに切り替えることで、携帯電話機１５において使用するアンテナを容易に切り替えられる。
【００５６】
従って、ユーザーは、通信状況（通信環境）のよい場合に、外部フリップアンテナ１を携帯電話機１５から取り外して、内蔵アンテナを用いて通信を行う。そして、通信状況の悪い場合には、携帯電話機１５に外部フリップアンテナ１を取り付けて、外部フリップアンテナ１を用いて通信を行える。このように、本システムでは、通信状況に応じて２つのアンテナを使い分けられるので、通信効率を向上させられる。
【００５７】
なお、本システムでは、アンテナ本体１４が閉状態のときに内蔵アンテナを使用するとしている。これは、閉状態のときには、アンテナ本体１４が携帯電話機１５に密着した状態となるため、十分な性能を発揮できないからである。アンテナ本体１４は、開状態となったときに、その通信機能を最も良好に発現できるように設計されている。
【００５８】
また、携帯電話機１５に備えられた接続ソケット１６としては、携帯電話システムの標準的なＩＦコネクタを使用してもよい。
【００５９】
また、本実施の形態では、開状態におけるアンテナ本体１４の角度を、携帯電話機１５の筐体面から１２０度であるとしている。しかしながら、開状態におけるアンテナ本体１４の角度は、１２０度に限らず、何度でもよい。この角度は、アンテナ本体１４と携帯電話機１５の筐体面とのなす最大角度であって、接続プラグ１２と同軸コンタクト１７との電気的接続を実現できる角度であればよい。
【００６０】
また、アンテナ本体１４が携帯電話機１５と接続される場合の角度（アンテナ本体１４と携帯電話機１５の筐体面との角度）を最大角以外の任意の角度に設定してもよい。この場合には、アンテナ本体１４を携帯電話機１５に接続するために、アンテナ本体１４を開状態とする必要はない。
【００６１】
また、本実施の形態では、閉状態で、アンテナ本体１４が携帯電話機１５の筐体面に密着するとしている。しかしながら、閉状態におけるアンテナ本体１４と携帯電話機１５とのなす角度は、何度でもよい。閉状態の角度は、接続プラグ１２と同軸コンタクト１７との電気的接続を回避できる角度であればよい。
【００６２】
また、本実施の形態では、携帯電話機１５は、他の電話機との通話通信、および、接続可能なコンピューターネットワークを利用したデータ通信を実行できるとしている。しかしながら、これに限らず、携帯電話機１５は、通話通信だけ、あるいは、データ通信だけを実行できるものであってもよい。
【００６３】
また、本実施の形態では、携帯電話機１５の制御部が、外部フリップアンテナ１の取り付けられていない場合、あるいは、アンテナ本体１４が閉状態となっている場合に、内蔵アンテナを用いて通信を実行するとしている。さらに、アンテナ本体１４が開状態となっているときに、アンテナ本体１４を用いて通信を行うとしている。
【００６４】
しかしながら、これに限らず、制御部は、アンテナ本体１４が開状態のとき、通信内容に応じて、使用するアンテナを決定するようにしてもよい（例えば、通話通信には外部フリップアンテナ１を利用する一方、データ通信には内蔵アンテナを利用するなど）。
【００６５】
また、本実施の形態では、外部フリップアンテナ１を携帯電話機１５に取り付けているとき、アンテナ本体１４が開状態にあるか閉状態にあるか、に応じて、使用するアンテナを切り替えるとしている。しかしながら、携帯電話機１５あるいは外部フリップアンテナ１に、アンテナ本体１４の開閉状態によらずに使用するアンテナを設定するスイッチ（アンテナ切り替えスイッチ）を設けてもよい。
【００６６】
また、本実施の形態では、外部フリップアンテナ１にヒンジ部１３を備え、アンテナ本体１４を折り畳めるように設計している。しかしながら、外部フリップアンテナ１からヒンジ部１３を省き、アンテナ本体１４を折り畳めない構造としてもよい。
この場合、ユーザーは、外部フリップアンテナ１を携帯電話機１５に接続するか否かによって、使用するアンテナを選択することとなる。
【００６７】
また、ヒンジ部１３を備えない構成とする場合、外部フリップアンテナ１を携帯電話機１５に接続した状態で、上記のようなアンテナ切り替えスイッチを設けるようにしてもよい。
【００６８】
また、ヒンジ部１３を備えない場合、アンテナ本体１４を、伸縮可能な構造とすることも好ましい。この場合には、外部フリップアンテナ１を、携帯電話機１５に取り付けた状態で小型化できる。
【００６９】
また、本実施の形態では、外部フリップアンテナ１のアンテナ本体１４が楔形状を有するとしている。しかしながら、これに限らず、アンテナ本体１４はどのような形状であってもよい。なお、アンテナ本体１４は、携帯電話機１５の筐体に密着させることの可能な形状であることが好ましい。
【００７０】
また、本実施の形態では、携帯電話機１５が内蔵アンテナを備えているとしている。しかしながら、これに限らず、携帯電話機１５に備える第２アンテナとしては、携帯電話機１５の筐体に対して伸縮する、外付けのアンテナを用いてもよい。
【００７１】
また、携帯電話機１５を、このような第２アンテナを備えない構成としてもよい。この場合、携帯電話機１５は、通信時、常に外部フリップアンテナ１を用いることとなる。
【００７２】
また、本実施の形態に示した携帯電話機１５としては、ＴＤＭＡ方式、ＣＤＭＡ方式の電話機や、パーソナル通信方式の電話機（ＰＨＳ（登録商標））など、どのような方式の携帯電話でも適用できる。また、本実施の形態では、外部フリップアンテナ１を携帯電話機１５に装着（取り付ける）としている。しかしながら、これに限らず、外部フリップアンテナ１は、携帯型の無線機であれば、トランシーバーなど、どのような無線機にも適用可能である。
【００７３】
また、本発明は、外部アンテナをＩ／Ｆコネクタに接続することが可能な携帯型無線機に取り付けるアンテナに関するともいえる。また、従来、アンテナその物の携帯性は殆ど考えられていなかった。また、近年、携帯型無線機の小型化や薄型化、更には内蔵化により、本体のアンテナ性能が従来のものに比べ落ちてきているのも事実である。携帯性を十分考慮した外部アンテナを携帯無線機に取り付けることにより、この性能低下を補って安定した通信を実現することが可能となる。
【００７４】
また、本システムについて、以下のように説明することもできる。本システムでは、アンテナ本体１４は、携帯電話機１５の筐体よりフリップ動作を行い離す事により有効となり、アンテナ本体１４より電波が輻射されることとなる。本切り替えは、アンテナ本体１４が、携帯電話機１５に密着した状態では、十分な性能が発揮できないため、アンテナ本体１４が、携帯電話機１５より十分に離れた状態でのみ有効に動作するような構造になっているといえる。
【００７５】
また、本システムでは、収納時、携帯電話機１５のＩ／Ｆコネクタに接続された外部フリップアンテナは、アンテナ本体１４をヒンジ部１３から折り畳まれ、携帯電話機１５に密着するように収納されているといえる。使用時、携帯電話機１５のＩ／Ｆコネクタに接続された外部フリップアンテナは、アンテナ本体１４を携帯電話機１５より離して使用することにより、アンテナ本体１４より放射される電磁波の強度は、アンテナが人体より離れるため少なくなる。よって、通常の通話においては携帯無線機内蔵のアンテナを使用するより、ＳＡＲの軽減を図ることが可能となる。
【００７６】
アンテナ使用時において、コネクタ部１０の内部にある接続プラグ１２に組み込まれている同軸コンタクト１７は可動式となっており、ヒンジリンク１８と同軸コンタクト１７は接続されている。ヒンジリンク１８の反対側はヒンジ部１３と接続されてアンテナ本体１４が開いている場合、同軸コンタクト１７はＩ／Ｆコネクタ内部に挿入されて携帯無線機側のＩ／Ｆコネクタ（接続ソケット１６）のコンタクトと噛合する。同軸コンタクト１７は同軸線に接続され、ヒンジ部１３を経由し、アンテナ本体１４へ接続される。アンテナ収納時は、アンテナ本体１４が、折り畳まれるため、ヒンジ部１３の動作に連動してヒンジリンク１８が、コネクタ部１０の内部にある同軸コンタクト１７を接続プラグ１２より引き出し、携帯電話機１５側のＩ／Ｆコネクタ（接続ソケット１６）内部のコンタクトとの噛合が無くなり電気的接続が解除される。携帯電話機１５側のＩ／Ｆコネクタ内部のコンタクトと同軸コンタクト１７の電気的接続がなくなることにより、携帯電話機１５は、内蔵してあるアンテナを使用するように切り替えを行うため、本フリップアンテナ収納時にはアンテナ本体１４は使用されなくなる。
【００７７】
また、携帯型無線装置において、Ｉ／Ｆコネクタを使用した外部アンテナが大きくて嵩張るといえる。また、本発明の目的を、携帯無線機用Ｉ／Ｆコネクタを用いた外部アンテナを、小型化と携帯無線機に付けたまま持ち運び必要なときに使用できるフリップ型アンテナを供給する事である、と表現することもできる。また、外部フリップアンテナ１の接続プラグ１２は、接続される携帯無線機の無線システムにおける標準的なＩ／Ｆコネクタを使用してもよい。
【００７８】
また、本発明を、以下の第１〜第５外部アンテナとして表現することもできる。すなわち、第１外部アンテナは、外部アンテナをＩ／Ｆコネクタに接続することが可能な携帯型無線機において、Ｉ／Ｆコネクタに接続し、ヒンジ部を介してアンテナ部とコネクタ部を接続する構造を特徴とする外部アンテナである。また、第２外部アンテナは、外部アンテナをＩ／Ｆコネクタに接続することが可能な携帯型無線機において、Ｉ／Ｆコネクタに接続し、アンテナ部を折り畳むことにより、その電気的接続を切り離す事が可能な構造を特徴とする構成である。
【００７９】
また、第３外部アンテナは、外部アンテナをＩ／Ｆコネクタに接続することが可能な携帯型無線機において、Ｉ／Ｆコネクタに接続し、外部アンテナを使用することにより、人体よりアンテナ面が離れ、対人被爆（ＳＡＲ）による影響を抑えることが可能となる外部アンテナである。また、第４外部アンテナは、外部アンテナをＩ／Ｆコネクタに取り付け、着脱可能だけではなく装着時に折り畳むことが可能な機能を持つ外部アンテナである。また、第５外部アンテナは、外部アンテナをＩ／Ｆコネクタに取り付け、折り畳む事により携帯性を向上させたことを特徴とする外部アンテナである。
【００８０】
以上の内容により、携帯無線機に接続した状態でも携帯時は、外部アンテナを電気的に切り離した状態で、折り畳み携行することが可能で、使用時には、外部アンテナを使用してより安定した電界強度での使用が可能となる。また、電界強度の高い部分が、頭から離れるため、アンテナゲインの高いアンテナであっても、対人被爆（ＳＡＲ）の量を内蔵アンテナに比べ抑圧することが可能となる。
【産業上の利用可能性】
【００８１】
本発明のアンテナ装置は、携帯電話機などの携帯無線機のアンテナとして好適に利用できるものである。
【図面の簡単な説明】
【００８２】
【図１】図１（ａ）〜（ｃ）は、本発明の一実施形態に係るアンテナ装置および携帯電話機の構成を示す断面図である。
【図２】図１に示したアンテナ装置および携帯電話機の一部を示す斜視図である。
【符号の説明】
【００８３】
１      外部フリップアンテナ（アンテナ装置）
１０    コネクタ部
１２    接続プラグ
１３    ヒンジ部
１４    アンテナ本体
１５    携帯電話機（携帯無線機）
１６    接続ソケット
１７    同軸コンタクト
１７ａ  回動軸
１８    ヒンジリンク
１８ａ  回動軸
【図１】
2005303685.tif 000003
【図２】
2005303685.tif 000004